(57)【要約】【課題】電磁継電器の小型化を図りつつ耐雷サージ性を向上することが可能な電磁継電器を得る。【解決手段】絶縁隔壁８を、アーム部４５に略沿って当該アーム部４５の基端部４５ａ側からカード６の手前となる位置まで突出させることで、接極子５の作動状態（接点部４の閉状態）で、絶縁隔壁８とカード６との干渉を回避するとともに、絶縁隔壁８の先端部４５ｂ側（図中右側）で、アーム部４５と接極子５のカード６より基端部４５ａ側（図中左側）となる部分とを相互に対向させ、接極子５の非作動状態で、アーム部４５と接極子５のカード６より基端部４５ａ側となる部分（他端部５ｂ）とを相互に対向させた部分の間隔δ２を、固定接点４１と可動接点４２との間の間隔δ１以上（δ２≧δ１）とした。【選択図】図１
2010033720.tif 000002
【特許請求の範囲】
【請求項１】
電磁石部と、
前記電磁石部により作動する接極子と、
固定接点と、
前記固定接点に対向配置され前記接触子が作動しない状態では当該固定接点と所定間隔をもって非接触状態となる可動接点と、
前記接極子に沿って所定間隔をもって延在しその先端部に前記可動接点を支持するアーム部と、
前記接極子の前記アーム部との対向部位に設けられ当該接極子の作動によって当該アーム部の中間部を押圧して前記可動接点を前記固定接点に接触させるカードと、
前記接極子と前記アーム部との間に介在する絶縁隔壁と、
を備えた電磁継電器において、
前記絶縁隔壁を前記アーム部に略沿って当該アーム部の基端側から前記カードの手前となる位置まで突出させることで、前記接極子が作動した状態で、当該絶縁隔壁と当該カードとの干渉を回避するように構成するとともに、当該絶縁隔壁の先端側で、当該アーム部と当該接極子の当該カードより基端部側となる部分とを相互に対向させるとともに、
前記接極子が作動しない状態で、前記アーム部と当該接極子の前記カードより基端部側となる部分との間の間隔を、当該固定接点と当該可動接点との間の間隔以上確保したことを特徴とする電磁継電器。
【発明の詳細な説明】
【技術分野】
【０００１】
本発明は、電磁継電器に関する。
【背景技術】
【０００２】
従来の電磁継電器として、接極子によってカードを介して駆動されるとともにその先端部に可動接点を片持ち状に支持するアーム部を備え、接極子が作動しない状態では可動接点と固定接点とが非接触状態となり、接極子が作動した状態で当該接極子によってカードを介してアーム部が押され、可動接点を固定接点に接触させるようにしたものが知られている（例えば、特許文献１参照）。
【特許文献１】特開平８−９６６８３号公報
【発明の開示】
【発明が解決しようとする課題】
【０００３】
上記従来の電磁継電器では、接極子とアーム部との間に絶縁壁部（絶縁壁と重合壁）を設けてある。この絶縁壁部は、アーム部の基端側のケース側壁とアーム部の先端側のケース側壁との間に架設されており、その絶縁壁部をカードが貫通する構成となっている。かかる絶縁壁部によって、アーム部から接極子に至る放電経路が遮断されるため、耐雷サージ性が高くなっている。
【０００４】
しかし、このようにケース側壁間で絶縁壁部を架設した構成では、接極子の作動状態で、アーム部の先端側と絶縁壁部とが干渉しないように、絶縁壁部をアーム部から離間させて設けることが必要となり、その分、電磁継電器が大型化してしまう。
【０００５】
特に、耐雷サージ性を高めるべく、固定接点と可動接点との間隔を拡げようとすると、それに伴ってアーム部の移動距離も大きくなるため、絶縁壁部とアーム部との間隔をさらに拡げることが必要となって、耐雷サージ性と電磁継電器の小型化との両立が難しくなってしまう。
【０００６】
そこで、本発明は、電磁継電器の小型化を図りつつ耐雷サージ性を向上することが可能な電磁継電器を得ることを目的とする。
【課題を解決するための手段】
【０００７】
本発明にあっては、電磁石部と、上記電磁石部により作動する接極子と、固定接点と、上記固定接点に対向配置され上記接触子が作動しない状態では当該固定接点と所定間隔をもって非接触状態となる可動接点と、上記接極子に沿って所定間隔をもって延在しその先端部に上記可動接点を支持するアーム部と、上記接極子の上記アーム部との対向部位に設けられ当該接極子の作動によって当該アーム部の中間部を押圧して上記可動接点を上記固定接点に接触させるカードと、上記接極子と上記アーム部との間に介在する絶縁隔壁と、を備えた電磁継電器において、上記絶縁隔壁を上記アーム部に略沿って当該アーム部の基端側から上記カードの手前となる位置まで突出させることで、上記接極子が作動した状態で、当該絶縁隔壁と当該カードとの干渉を回避するように構成するとともに、当該絶縁隔壁の先端側で、当該アーム部と当該接極子の当該カードより基端部側となる部分とを相互に対向させるとともに、上記接極子が作動しない状態で、上記アーム部と当該接極子の上記カードより基端部側となる部分との間の間隔を、当該固定接点と当該可動接点との間の間隔以上確保したことを特徴とする。
【発明の効果】
【０００８】
本発明によれば、絶縁隔壁をカードの手前までとすることでアーム部の先端側ならびにカードが絶縁隔壁と干渉しないようにした。このため、絶縁隔壁をよりアーム部に近付けて配置できるようになって、電磁継電器を全体として小型化することができる。そして、接極子が作動しない状態で、アーム部と接極子のカードより基端部側となる部分との間の間隔を、固定接点と可動接点との間の間隔以上確保したため、比較的調整の容易な固定接点と可動接点との間で間隔等の個別調整を行ったとしても、アーム部と接極子のカードより基端部側となる部分との間の間隔については、元々の構成として固定接点と可動接点との間の間隔以上に比較的大きく設定されており、絶縁距離が確保された状態を維持しやすくなるため、所要の絶縁距離をより容易に確保して耐雷サージ性を確保しやすくなる。
【発明を実施するための最良の形態】
【０００９】
以下、本発明の実施形態について図面を参照しつつ詳細に説明する。図１は、本実施形態にかかる電磁継電器の断面図であって、接極子の非作動状態を示す図、図２は、電磁継電器の断面図であって、接極子の作動状態を示す図である。
【００１０】
図１に示すように、本実施形態にかかる電磁継電器１は、上端が開放されたケース２の内方下部に電磁石部３を配置するとともに、内方上部に固定接点４１および可動接点４２を備えた接点部４を配置してある。そして、電磁石部３により作動される接極子（アーマチュア）５に設けたカード６によって、固定接点４１と可動接点４２とを開閉するようになっている。また、ケース２の上端開放部は蓋体７で閉止してある。
【００１１】
電磁石部３は、横置きした鉄心３１の外周に、コイル３２を巻回したボビン３３を密接嵌合するとともに、鉄心３１の前記接極子５を配置した一端部３１ａとは反対側の他端部３１ｂに継鉄３４の一端部３４ａを固定して概ね構成してある。継鉄３４の他端部３４ｂは、Ｌ字状に折曲して鉄心３１と平行となるようにボビン３３の接点部４側（図中上側）に沿わせてある。このとき、鉄心３１および継鉄３４はそれぞれ磁性材料によって形成してある。
【００１２】
接点部４は、固定接点４１をケース２内の上部で、接極子５の配置側（図中左側）とは反対側（図中右側）に配置してあり、可動接点４２を固定接点４１の下方に所定間隔δ１を設けて配置してある。
【００１３】
固定接点４１は第１の接点板４３に直接に設けてあるとともに、可動接点４２は第２の接点板４４に固定した板ばね機能を有するアーム部４５に設けてある。第１の接点板４３は、ケース２の接極子５を配置した側とは反対側（図中右側）の側壁２ａの内側に沿わせて配置してあり、その上端部４３ａを蓋体７の内面に沿わせてＬ字状に折曲し、その上端部４３ａの下側に固定接点４１を設けてある。また、第１の接点板４３の下端部４３ｂは、ケース２の底面２ｂから突出する固定接点側端子４６に接続してある。
【００１４】
第２の接点板４４は、ケース２の接極子５を配置した側（図中左側）の側壁２ｃの内側に沿わせて配置してあり、それの上端部４４ａを蓋体７の内面に沿わせてＬ字状に折曲し、その上端部４４ａの下側に上述したアーム部４５の基端部４５ａを結合してある。また、第２の接点板４４の下端部４４ｂは、ケース２の底面２ｂから突出する可動接点側端子４７に接続してある。
【００１５】
アーム部４５は、接極子５に沿って所定間隔をもって延在しており、その先端部４５ｂの上面に可動接点４２を設けてある。このアーム部４５は、基端部４５ａ側から先端側の固定接点４１に向けて片持ち状に延設してある。そして、アーム部４５は、先端部４５ｂが傾斜部４５ｃを介して固定接点４１から離れるように略Ｓ字状に屈曲されており、その先端部４５ｂの上面に可動接点４２を設けてある。
【００１６】
接極子５は、感磁性材料で形成されて全体的にやや鈍角となる略Ｖ字状に折曲形成してあり、その接極子５の一端部５ａを電磁石部３の鉄心３１の一端部３１ａに対向配置するとともに、他端部５ｂを継鉄３４の他端部３４ｂとアーム部４５との間に配置してある。このとき、接極子５は、屈曲部５ｃの内側点Ｆを支点として継鉄３４の先端部３４ｃの上面角部に掛止してある。
【００１７】
接極子５の一端部５ａは、通常時、つまり、電磁石部３の非励磁時には、図１に示すように鉄心３１との間に所定間隔を設けた状態にあり、このとき、他端部５ｂは継鉄の他端部３４ｂに最も近接した状態にある（非作動状態）。そして、電磁石部３が信号入力により励磁されると、図２に示すように、鉄心３１に接極子５の一端部５ａが吸引されて、接極子５は屈曲部５ｃを中心として図中反時計回り方向に回動し、他端部５ｂをアーム部４５側に持ち上げるようになっている（作動状態）。
【００１８】
カード６は、プラスチック（例えば、ＰＢＴ、フェノール等）などの絶縁材料によって形成され、接極子５の他端部５ｂの先端部上側に取り付けてあり、その取付位置はアーム部４５の長手方向略中央部との対向部位となっている。カード６はアーム部４５の延在方向に所定幅Ｗをもって形成してあり、その幅Ｗ方向の略中央部にはアーム部４５を押圧するための突部６１を形成してある。このとき、アーム部４５の突部６１が当接する部分には、突部６１のずれを防止する係合部４５ｄを設けてある。
【００１９】
したがって、図２に示すように、電磁石部３が励磁されて接極子５が図中反時計回り方向に回動すると、カード６の突部６１がアーム部４５をそれのばね力に抗して押し上げて、可動接点４２を固定接点４１に接触させる。なお、電磁石部３が消磁されると、接極子５は、その他端部５ｂおよびカード６の自重も加わるが、主にアーム部４５のばね力によって図１に示す通常状態に復帰する。
【００２０】
接極子５の他端部５ｂとアーム部４５との間には、絶縁材料で形成した絶縁隔壁８がアーム部４５の基端部４５ａ側から先端部４５ｂ側に向けて突出している。絶縁隔壁８は、アーム部４５から接極子５へのサージ電流を遮断する機能を有している。
【００２１】
ここで、本実施形態では、絶縁隔壁８を、アーム部４５に略沿って当該アーム部４５の基端部４５ａ側からカード６の手前となる位置まで突出させることで、図２に示すように、接極子５の作動状態（接点部４の閉状態）で、絶縁隔壁８とカード６との干渉を回避するようにしてある。これにより、接極子５ひいてはアーム部４５のストロークを大きく確保し、接極子５の非作動状態における固定接点４１と可動接点４２との間隔（絶縁距離）δ１を大きく確保している。
【００２２】
そして、絶縁隔壁８の先端部４５ｂ側（図中右側）で、アーム部４５と接極子５のカード６より基端部４５ａ側（図中左側）となる部分とを相互に対向させるとともに、接極子５の非作動状態で、アーム部４５と接極子５のカード６より基端部４５ａ側となる部分（他端部５ｂ）とを相互に対向させ、その部分の間隔δ２を、固定接点４１と可動接点４２との間の間隔δ１以上（δ２≧δ１）としてある。具体的には、これら間隔δ１，δ２は、サージ電圧２．５［ｋＶ］に対して１．５［ｍｍ］確保すればよいことが判明している。
【００２３】
絶縁隔壁８とカード６との干渉を防止するには、絶縁隔壁８の突出側先端８ａとカード６の対向面６ａとの間に所要の隙間Ｓを設けることにより達成できる。
【００２４】
また、アーム部４５と接極子５との間の間隔δ２、ならびに、固定接点４１と可動接点４２との間の間隔δ１以上とするにあたっては、固定接点４１と可動接点４２との間の間隔δ１を、サージ電流を抑制するに十分な間隔に設定すればよいことになる。
【００２５】
また、本実施形態では、接極子５の非作動状態（図１）では、アーム部４５を基端部４５ａ側から先端部４５ｂ側に向けてカード６側にもカード６の反対側にも反らせることなく比較的真っ直ぐに延伸させることで、固定接点４１と可動接点４２との間の間隔δ１を確保しやすくするとともに、この状態で、カード６からの押圧力を比較的小さく設定し、カード６の突部６１の摩耗の抑制を図っている。
【００２６】
以上、説明したように、本実施形態にかかる電磁継電器１によれば、絶縁隔壁８を、アーム部４５に略沿って当該アーム部４５の基端部４５ａ側からカード６の手前となる位置まで突出させることで、接極子５の作動状態（接点部４の閉状態）で、絶縁隔壁８とカード６との干渉を回避するとともに、絶縁隔壁８の先端部４５ｂ側（図中右側）で、アーム部４５と接極子５のカード６より基端部４５ａ側（図中左側）となる部分とを相互に対向させ、接極子５の非作動状態で、アーム部４５と接極子５のカード６より基端部４５ａ側となる部分（他端部５ｂ）とを相互に対向させた部分の間隔δ２を、固定接点４１と可動接点４２との間の間隔δ１以上（δ２≧δ１）とした。
【００２７】
すなわち、絶縁隔壁８をカード６の手前までとすることでアーム部４５の先端部４５ｂ側ならびにカード６が絶縁隔壁８と干渉しないようにした。このため、絶縁隔壁８をよりアーム部４５に近付けて配置できるようになって、電磁継電器１を全体として小型化することができる。そして、接極子５が作動しない状態で、アーム部４５と接極子５のカード６より基端部４５ａ側となる部分（他端部５ｂ）との間の間隔δ２を、固定接点４１と可動接点４２との間の間隔δ１以上確保したため、比較的調整の容易な固定接点４１と可動接点４２との間で間隔δ１等の調整（個体毎の調整）を行ったとしても、アーム部４５と接極子５のカード６より基端部４５ａ側となる部分との間の間隔δ２については、元々の構成として固定接点４１と可動接点４２との間の間隔δ１以上に比較的大きく設定されており、絶縁距離が確保された状態を維持しやすくなるため、双方の間隔δ１，δ２について所要の絶縁距離をより容易に確保して耐雷サージ性を確保しやすくなる。したがって、間隔δ２は、必要最低限の絶縁距離に対して、調整による間隔δ１の最大変化量に対応する間隔δ２の最大減少量を見越して（余裕として）大きく設定しておくのが好適である。
【００２８】
なお、接極子５ならびにアーム部４５のストローク、ひいては、接極子５の非作動状態における固定接点４１と可動接点４２との間隔δ１を確保するには、接極子５の屈曲角度を大きくし、カード６の突部６１の高さを低くし、固定接点４１ならびに可動接点４２を薄型化し、カード６の幅Ｗを短くするのが効果的である。
【００２９】
以上、本発明の好適な実施形態について説明したが、本発明は上記実施形態には限定されず、種々の変形が可能である。
【図面の簡単な説明】
【００３０】
【図１】本発明の一実施形態にかかる電磁継電器の断面図であって、接極子の非作動状態を示す図である。
【図２】本発明の一実施形態にかかる電磁継電器の断面図であって、接極子の作動状態を示す図である。
【符号の説明】
【００３１】
１  電磁継電器
３  電磁石部
４  接点部
４１  固定接点
４２  可動接点
４５  アーム部
５  接極子
６  カード
８  絶縁隔壁
δ１  固定接点と可動接点との間の間隔
δ２  アーム部と接極子のカードより基端部側となる部分との間の間隔
【図１】
2010033720.tif 000003
【図２】
2010033720.tif 000004